(57)【要約】本発明は、衣類乾燥機及びその制御方法を提供する。衣類投入口に衣類の湿度を検出する湿度センサー（２）が設置されている乾燥ドラム（１）を含む衣類乾燥機及びその制御方法において、乾燥ドラム（１）に検出装置（３）が更に設置され、検出装置（３）は衣類投入口の内側に設置され、検出装置（３）はコントローラーに接続され、予め設定された時間ごとに検出装置（３）の周囲環境の抵抗値を検出するとともに抵抗値をコントローラーに伝送するように設置される。本願に係る衣類乾燥機に検出装置（３）が設けられており、予め設定された時間ごとに当該検出装置（３）の周囲の抵抗値を検出するように設置され、コントローラーは各抵抗値をそれぞれ所定抵抗閾値と比較するとともに、所定抵抗閾値を超えた抵抗値の数に基づいて乾燥ドラム（１）における衣類の量を判断し、更に衣類の量に基づいて乾燥ドラム（１）の回転速度を調整する。これにより、衣類乾燥機の衣類乾燥過程において、従来技術における衣類のシワ付きや衣類乾燥効果の不均一という問題を解決する。
2018510031.tif 000002
【特許請求の範囲】
【請求項１】
衣類投入口に衣類の湿度を検出する湿度センサー（２）が設置されている乾燥ドラム（１）を含む衣類乾燥機であって、
前記乾燥ドラム（１）に検出装置（３）が更に設置され、前記検出装置（３）は前記乾燥ドラム（１）の内側に設置され、
前記検出装置（３）はコントローラーに接続され、前記検出装置の周囲環境の抵抗値を検出するように設置され、
前記コントローラーは、所定時間内に予め設定された時間ごとに抵抗値を取得するとともに、前記抵抗値に基づいて前記乾燥ドラムの回転速度を制御するように設置される、ことを特徴とする衣類乾燥機。
【請求項２】
前記検出装置（３）は、前記乾燥ドラム（１）の衣類投入口の縁部に設置される、請求項１に記載の衣類乾燥機。
【請求項３】
前記検出装置（３）は、前記衣類投入口が所在する平面の水平な対称軸の上部に設置される、請求項１に記載の衣類乾燥機。
【請求項４】
前記検出装置（３）は、前記衣類投入口が所在する平面の垂直な対称軸から左または右へ６０°偏向する範囲内に設置される、請求項２に記載の衣類乾燥機。
【請求項５】
前記検出装置（３）は、金属電極対である、請求項１〜４のいずれか一項に記載の衣類乾燥機。
【請求項６】
乾燥ドラム（１）が初期回転速度で動作した後、検出装置（３）が検出装置の周囲環境の抵抗値を検出し、コントローラーが所定時間内に予め設定された時間ごとに抵抗値を取得することと、
前記コントローラーは、各前記抵抗値をそれぞれ抵抗閾値と比較するとともに、前記抵抗閾値を超えた抵抗値の数に基づいて前記乾燥ドラム（１）における衣類の量を判断し、前記乾燥ドラム（１）における衣類の量に基づいて前記乾燥ドラム（１）の回転速度を調整することとを含む衣類乾燥機の制御方法。
【請求項７】
前記コントローラーは、前記乾燥ドラム（１）における衣類の量を少なくとも三つのレベルに分けて、各レベルがそれぞれ一つの回転速度に対応する、請求項６に記載の衣類乾燥機の制御方法。
【請求項８】
前記コントローラーは、前記乾燥ドラム（１）における衣類の量を小容量と、中容量と、大容量とに分け、
前記乾燥ドラム（１）における衣類の量が小容量であると判定すると、前記乾燥ドラム（１）の回転速度を低回転速度に調節し、
前記乾燥ドラム（１）における衣類の量が中容量であると判定すると、前記乾燥ドラム（１）の回転速度を中回転速度に調節し、
前記乾燥ドラム（１）における衣類の量が大容量であると判定すると、前記乾燥ドラム（１）の回転速度を高回転速度に調節する、請求項７に記載の衣類乾燥機の制御方法。
【請求項９】
前記低回転速度は４０〜４５ｒｐｍであり、
中回転速度は５０〜５５ｒｐｍであり、
高回転速度は６０〜６５ｒｐｍである、請求項８に記載の衣類乾燥機の制御方法。
【請求項１０】
前記初期回転速度は、４０ｒｐｍである、請求項６に記載の衣類乾燥機の制御方法。
【請求項１１】
前記予め設定された時間は、０．４ｓ〜０．６ｓである、請求項６〜１０のいずれか一項に記載の衣類乾燥機の制御方法。
【発明の詳細な説明】
【技術分野】
【０００１】
本特許出願は、衣類乾燥機器分野に関し、例えば衣類乾燥機及びその制御方法に関する。
【背景技術】
【０００２】
科学技術の発展と進歩に伴い、衣類乾燥機の使用がますます頻繁になってきた。衣類乾燥機とは、電気加熱によって洗濯された後の衣類における水分を直ちに蒸発させて衣類を乾燥させる電気製品を指すものと言える。関連技術における衣類乾燥機は、使用過程において、衣類乾燥機により乾燥された衣類にシワが付きやすいという衣類のシワ付きの問題、また、乾燥機により乾燥された衣類に乾燥むらが生じやすいという乾燥むらの問題が現れやすい。
【０００３】
そこで、市場では、差し迫って、衣類の乾燥均一性がよく、衣類乾燥機により乾燥された衣類にシワが付きにくい衣類乾燥機及びその制御方法を提供する必要がある。
【発明の概要】
【０００４】
本発明の実施例において、乾燥の均一性がよく、衣類乾燥機により乾燥された後の衣類にシワが付きにくい衣類乾燥機が提供されている。
【０００５】
本発明の実施例において、乾燥ドラムにおける衣類の量に基づいて乾燥ドラムの回転速度を調節することができ、従来技術における衣類乾燥機の乾燥むらや衣類のシワ付きという問題を解決する衣類乾燥機が提供されている。
【０００６】
本発明の実施例において、衣類乾燥機を制御するように設置された衣類乾燥機の制御方法が更に提供され、当該制御方法で衣類乾燥機を制御することによって、衣類乾燥効果をよりよくすることができる。
【０００７】
本発明の実施例において、以下の技術態様を使用している。
【０００８】
衣類乾燥機は、衣類投入口に衣類の湿度値を検出する湿度センサーが設置されている乾燥ドラムを含み、前記乾燥ドラムに検出装置が更に設置され、前記検出装置は前記乾燥ドラムの内側に設置される。
【０００９】
前記検出装置はコントローラーに接続され、前記検出装置の周囲環境の抵抗値を検出するように設置される。
【００１０】
前記コントローラーは、所定時間内に予め設定された時間ごとに抵抗値を取得するとともに、前記抵抗値に基づいて前記乾燥ドラムの回転速度を制御するように設置される。
【００１１】
好ましくは、前記検出装置は、前記乾燥ドラムの衣類投入口の縁部に設置される。
【００１２】
好ましくは、前記検出装置は、前記衣類投入口が所在する平面の水平な対称軸の上部に設置される。
【００１３】
好ましくは、前記検出装置は、前記衣類投入口が所在する平面の垂直な対称軸から左または右へ６０°偏向する範囲内に設置される。
【００１４】
好ましくは、前記検出装置は、金属電極対である。
【００１５】
また、本発明の実施例において、衣類乾燥機の制御方法が更に開示され、当該制御方法は、乾燥ドラムが初期回転速度で動作した後、検出装置が検出装置の周囲環境の抵抗値を検出し、コントローラーが所定時間内に予め設定された時間ごとに抵抗値を取得することと、
【００１６】
前記コントローラーは、各前記抵抗値をそれぞれ抵抗閾値と比較するとともに、前記抵抗閾値を超えた抵抗値の数に基づいて前記乾燥ドラムにおける衣類の量を判断し、前記乾燥ドラムにおける衣類の量に基づいて前記乾燥ドラムの回転速度を調節することと、を含む。
【００１７】
好ましくは、前記コントローラーは、前記乾燥ドラムにおける衣類の量を少なくとも三つのレベルに分けて、各レベルがそれぞれ一つの回転速度に対応する。
【００１８】
好ましくは、前記乾燥ドラムにおける衣類の量が、小容量と、中容量と、大容量とに分けられている。
【００１９】
前記コントローラーは、前記乾燥ドラムにおける衣類の量が小容量であると判定すると、前記乾燥ドラムの回転速度を低回転速度に調節する。
【００２０】
前記コントローラーは、前記乾燥ドラムにおける衣類の量が中容量であると判定すると、前記乾燥ドラムの回転速度を中回転速度に調節する。
【００２１】
前記コントローラーは、前記乾燥ドラムにおける衣類の量が大容量であると判定すると、前記乾燥ドラムの回転速度を高回転速度に調節する。
【００２２】
好ましくは、前記低回転速度は４０〜４５ｒｐｍであり、中回転速度は５０〜５５ｒｐｍであり、高回転速度は６０〜６５ｒｐｍである。
【００２３】
好ましくは、前記初期回転速度は４０ｒｐｍである。
【００２４】
好ましくは、前記予め設定された時間は０．４s〜０．６sである。
【００２５】
本願における衣類乾燥機は、乾燥ドラムの衣類投入口に検出装置が設置され、検出装置はコントローラーに接続され、その周囲環境における抵抗値を検出するように設置される。コントローラーは、所定時間内に予め設定された時間ごとに抵抗値を取得して各抵抗値を抵抗閾値と比較するとともに、抵抗閾値を超えた抵抗値の数に基づいて乾燥ドラムにおける衣類の量を判断し、乾燥ドラムにおける衣類の量に基づいて乾燥ドラムの回転速度を調節する。これによって、衣類乾燥機における衣類の量を問わず同じ回転速度が保持されるため、衣類にシワが付きやすくて衣類乾燥効果が不均一になるという従来技術における問題が解決される。
【００２６】
本願における衣類乾燥機の制御方法を用いて、衣類乾燥機のコントローラーは乾燥ドラムにおける衣類の量に基づいて乾燥ドラムの回転速度を調節することができ、乾燥ドラムにおける衣類が比較的多い場合、乾燥ドラムの回転速度が高められ、乾燥ドラムにおける衣類が比較的少ない場合、乾燥ドラムの回転速度が下げられる。これによって、衣類乾燥効果が均一となり、衣類にシワが付きにくいという効果が実現される。
【図面の簡単な説明】
【００２７】
【図１】本発明の実施例１に係る衣類乾燥機の構造の概略図である。
【図２】本発明の実施例２に係る衣類乾燥機の制御方法のフローチャートである。
【図３】本発明の実施例に係る機器のハードウェアの構造の概略図である。
【発明を実施するための形態】
【００２８】
以下、図面を参照しながら具体的な実施形態によって本発明の実施例に係る技術態様を更に説明する。
【００２９】
実施例１
関連技術における衣類乾燥機において、衣類の湿度が衣類投入口に設置された湿度センサーにより検出される。衣類の乾燥過程において、乾燥ドラムの連続回転に従って、衣類が頻繁に当該湿度センサーに接触し、衣類の湿度と衣類の抵抗値とが逆比例関係にあるため、当該湿度センサーは、衣類の抵抗値を検出することによって衣類の湿度を取得する。衣類の湿度が高いと、湿度センサーが検出した衣類の抵抗値が小さく、衣類の湿度が低いと、湿度センサーが検出した衣類の抵抗値が大きい。また、関連技術における衣類乾燥機においては、衣類が乾燥ドラムで絡み合って、外側に位置する衣類の乾燥が速いが、内側に絡みこんだ衣類の乾燥が遅くて、相対湿度が高く、衣類の乾燥むらという問題が現れる。
【００３０】
しかも、関連技術における衣類乾燥機において、乾燥ドラムにおける衣類の量も衣類乾燥効果に影響する。乾燥ドラムに投入された乾燥待ちの衣類の量が比較的多いと、常に乾燥された後の衣類にシワ付き現象が生じる。乾燥ドラムに投入された乾燥待ちの衣類の量が比較的少ないと、衣類が乾燥ドラムの内壁にくっつきやすいため、衣類にシワが生じる。例えば、定格乾燥容量が８ｋｇの衣類乾燥機に、６ｋｇ以上の衣類を投入して乾燥させる場合、特に投入された衣類の多くが綿繊維類材料である場合、衣類におけるシワ跡が目立ち伸ばしにくい。３ｋｇ以下の衣類を投入して乾燥させる場合、衣類が乾燥過程において乾燥ドラムの内壁にくっつくため、衣類にシワ付き現象が生じる。
【００３１】
図１には、本実施例に提供される衣類乾燥機が表示されている。当該衣類乾燥機は、衣類投入口１１に衣類湿度値を検出する湿度センサー２が設置されている乾燥ドラム１を含み、湿度センサー２は、乾燥ドラム１における衣類の湿度を検出して、湿度値をコントローラーに伝送するように設置される。そのうち、好ましくは、湿度センサーは金属電極対からなる。
【００３２】
乾燥ドラム１に検出装置３が更に設置され、検出装置３は乾燥ドラム１の内側に設置され、好ましくは、検出装置３は乾燥ドラム１の衣類投入口の縁部に設置される。図１に示すように、検出装置３は、衣類が乾燥ドラム１の回転過程において当該検出装置３に接触できるように、乾燥ドラム１の衣類投入口に向かう内壁に設置される。好適な実施形態として、本実施例における検出装置３は金属電極対であり、好ましくは、金属ストリップ電極対である。
【００３３】
また、検出装置３は、コントローラーに電気的に接続され、乾燥ドラム１の回転過程において、当該検出装置の周囲環境の抵抗値を検出し続けるように設置され、コントローラーは、所定時間内に予め設定された時間ごとに検出装置により検出された抵抗値を取得する。そのうち、所定時間と予め設定された時間は、それぞれ乾燥ドラムの容量に基づいて適宜調整することができ、好ましくは、本実施例における所定時間が３分間であり、予め設定された時間が０．４ｓ〜０．６ｓであり、好ましくは、０．４ｓである。即ちコントローラーは０．４ｓごとに検出装置３により検出された周囲環境の抵抗値を取得し、その後、３分以内で取得したすべての抵抗値を抵抗閾値とそれぞれ比較し、比較結果に基づいて乾燥ドラムにおける衣類の量を判断する。検出装置３が衣類に接触する際に検出するのは衣類の抵抗値であり、検出装置３が空気に接触する際に検出するのは空気中の抵抗値である。
【００３４】
実行可能な実施形態として、検出装置３は、衣類投入口１１が所在する平面の水平な対称軸の上部に設置され、好ましくは、検出装置は衣類投入口１１が所在する平面の水平な対称軸の上部、且つ垂直な対称軸から左または右へ６０°偏向する範囲内に設置されることである。乾燥ドラム１が時計回り方向に向かって回転すると、検出装置３は、衣類投入口が所在する平面の水平な対称軸の上部、且つ垂直な対称軸から左へ６０°偏向する範囲内に設置され、即ち１０時〜１２時方向の範囲内に設置され、好ましくは、１０時の位置に設置されることである。乾燥ドラム１が反時計回り方向に向かって回転すると、検出装置３は、衣類投入口が所在する平面の水平な対称軸の上部、且つ垂直な対称軸から右へ６０°偏向する範囲内に設置され、即ち２時〜１２時方向の範囲内に設置され、好ましくは、２時の位置に設置されることである。
【００３５】
そのうち、検出装置３をそれぞれ１０時〜１２時の範囲内又は２時〜１２時の範囲内に設置するのは、乾燥ドラム１の回転過程において、衣類が遠心力の作用を受け、上記二つの範囲内に設置された検出装置と接触するチャンスが最も多いためである。乾燥ドラム１における衣類の量と、検出装置３が衣類と接触する回数とは正の直線関係にあり、検出装置が衣類と接触するチャンスが多いため、コントローラーは、検出装置により検出された抵抗値に基づいて乾燥ドラムにおける衣類の量を的確に判定することができ、これによって、乾燥ドラムの回転速度が合理的に調整される。
【００３６】
実施過程において、湿度センサー２と検出装置３は同じ（例えば材質及び／又は形状などが同じである）金属電極を同時に選択することができ、使用過程において、湿度センサー２の金属電極は乾燥ドラム１の衣類投入口が所在する平面の水平な対称軸縁部の下部に設置される。衣類乾燥機の動作過程において、衣類が重力作用で乾燥ドラム１の底部に落下するため、湿度センサーは、衣類投入口が所在する平面の水平な対称軸縁部の下部に設置され、衣類の湿度を良く検出することができる。
【００３７】
もちろん、衣類乾燥機に一つの金属電極対を設置してもよく、この一つの金属電極対は、衣類の湿度及び衣類が当該金属電極と衝撃して接触する回数を同時に検出するが実現でき、即ち一つの金属電極対によって湿度センサーと検出装置の仕事を同時に完成することができる。衣類乾燥機に一つだけの金属電極対が設置される場合、この金属電極対が衣類投入口が所在する平面の水平対称軸縁部の下部に設置されると、当該金属電極対は、衣類の湿度を的確に検出できるが、（湿度センサーの機能を実行する）それに対して、衣類の容量は的確に検出できない。この金属電極対が衣類投入口が所在する平面の水平対称軸縁部の上部に設置されると、当該金属電極は、衣類の容量を検出（検出装置の機能を実行する）する的確性が向上するが、衣類の湿度を検出する的確性が低下する。
【００３８】
実施例２
本実施例に係る衣類乾燥機の制御方法において、乾燥ドラムが初期回転速度で動作した後、検出装置は当該検出装置の周囲環境の抵抗値を検出する。コントローラーは、所定時間内に予め設定された時間ごとに検出装置により検出された抵抗値を取得する。コントローラーは、所定時間内に検出して得た各抵抗値をそれぞれ抵抗閾値と比較するとともに、抵抗閾値を超えた抵抗値の数に基づいて乾燥ドラムにおける衣類の量を判断し、乾燥ドラムにおける衣類の量に基づいて乾燥ドラムの回転速度を調整する。好適な実施形態として、コントローラーは、乾燥ドラムにおける衣類の量を少なくとも三つのレベルに分けて、各レベルがそれぞれ一つの回転速度に対応する。
【００３９】
好適な実施形態として、本実施例において、コントローラーは、乾燥ドラムにおける衣類の量を、それぞれ小容量レベル、中容量レベル及び大容量レベルと三つのレベルに分ける。本実施例に係る抵抗閾値は、複数回の試験によって得られた一つの経験値であってもよく、予め設定されたユーザのニーズを満たす設定値であってもよい。実際の操作過程において、当該抵抗閾値はコントローラーに予め記憶されている。コントローラーは、乾燥ドラム１における衣類の量が小容量であると判定すると、乾燥ドラム１の回転速度を低回転速度に調節する。コントローラーは、乾燥ドラム１における衣類の量が中容量であると判定すると、乾燥ドラム１の回転速度を中回転速度に調節する。コントローラーは、乾燥ドラム１における衣類の量が大容量であると判定すると、乾燥ドラム１の回転速度を高回転速度に調節する。そのうち、好ましくは、低回転速度は４０〜４５ｒｐｍであり、中回転速度は５０〜５５ｒｐｍであり、高回転速度は６０〜６５ｒｐｍであり、乾燥ドラムの初期回転速度は４０ｒｐｍである。
【００４０】
本実施例において、金属電極を検出装置とする検出原理は、乾燥ドラムの回転過程において、衣類と空気がともに検出装置の金属電極と接触することができ、好ましくは、検出装置が二本の金属ストリップ電極により構成されることである。検出装置は二本の金属ストリップ電極によって検出回路を構成して、それぞれ衣類又は空気と電極との間の抵抗値を検出することができる。
【００４１】
コントローラーは、所定時間内に予め設定された時間ごとに検出装置の抵抗値を取得し、好ましくは、当該予め設定された時間が０．４秒であり、所定時間が３分間である。コントローラーは、抵抗値を自主的に取得することができ、即ちコントローラーは０．４秒ごとに検出装置に抵抗値を取得する指令を送信し、検出装置は当該指令を受信した後に、取得した抵抗値をコントローラーに伝送する。
【００４２】
同様な材質で同様な湿度の衣類に対して、乾燥ドラムにおける衣類の量が多いと、衣類と乾燥ドラムの内壁との接触面積が比較的大きく、検出装置としての金属片電極と接触する頻度が比較的高く、即ち金属片電極は、衣類と接触する回数が多く、空気と接触する回数が少ない。そのため、所定時間内に検出装置により金属電極と衣類との接触による抵抗値が検出された回数が比較的多いと、コントローラーは当該所定時間内の複数の抵抗値の中で抵抗閾値を超えた抵抗値の数が比較的多いと判定する。衣類の量が少ないと、衣類と乾燥ドラム内壁との接触面積が比較的小さく、検出装置としての金属ストリップ電極と接触する頻度が比較的低く、即ち金属ストリップ電極は、衣類と接触する回数が少なく、空気と接触する回数が少ない。そのため、所定時間内に検出装置により金属電極と衣類との接触による抵抗値が検出された回数が比較的少ないと、コントローラは、当該所定時間内の複数の抵抗値の中で抵抗閾値を超えた抵抗値の数が比較的少ないと判定する。同様に、衣類の量が適切であると、所定時間内に検出装置により金属電極と衣類との接触による抵抗値が検出された回数も適切であり、この場合、コントローラーは、当該所定時間内の複数の抵抗値の中で抵抗閾値を超えた抵抗値の数が適切であると判定する。
【００４３】
上記した衣類の量が多いか、少ないか又は適切であるかは、衣類の量が乾燥ドラムの容量に対するものと言え、例えば、乾燥ドラムの衣類容量が８ｋｇである場合、衣類の量が６ｋｇを超えると、乾燥ドラムにおける衣類の量が多いと示し、乾燥ドラムにおける衣類の量が３ｋｇより小さいと、乾燥ドラムにおける衣類の量が少ないと示し、乾燥ドラムにおける衣類の量が約４ｋｇであると、乾燥ドラムにおける衣類の量が適切であると示す。
【００４４】
また、上記した検出装置により検出された抵抗値が抵抗閾値を超えた数が多いか、少ないか又は適切であるかは、抵抗値の数が所定数に対するものと言え、例えば、所定数が３００個であり、検出装置が所定時間内（３分以内）に検出した抵抗値が４５０個（０．４秒ごとに一回検出する）であるとし、コントローラーは、当該所定時間内の４５０個の抵抗値の中で抵抗閾値を超えた数が３８０個（所定数３００個より大きい）であると判定すると、乾燥ドラムにおける衣類の量が大容量であると判定する。コントローラーは当該所定時間内の４５０個の抵抗値の中で抵抗閾値を超えた数が２８０個（所定数３００個より小さい）であると判定すると、乾燥ドラムにおける衣類の量が小容量であると判定する。コントローラーは、当該所定時間内の４５０個の抵抗値の中で抵抗閾値を超えた数が３００個（所定数３００個と等しい）であると判定すると、乾燥ドラムにおける衣類の量が中容量であると判定する。
【００４５】
以下、好適な操作過程により衣類乾燥機の制御方法について詳しく説明する。衣類乾燥機が起動された後、乾燥ドラムは４０ｒｐｍの初期回転速度で回転し、乾燥ドラムにおける衣類が金属電極と相応な頻度で接触すると、検出装置は、継続的に周囲環境の抵抗値をリアルタイムに検出し、コントローラーは、０．４ｓ（予め設定された時間）ごとに検出装置により検出された抵抗値を取得する。衣類乾燥機を動作させてからの３分（所定時間）以内（この予め設定された時間と所定時間はいずれも実際の負荷によって調整することができる）、コントローラーは０．４sごとに抵抗値を取得するようにし、毎回取得した抵抗値を抵抗閾値と比較するとともに、３分以内で抵抗閾値を超えた抵抗値の数に基づいて乾燥ドラムにおける衣類の量を判断し、乾燥ドラムにおける衣類の量に基づいて乾燥ドラムの回転速度を調整する。例えば、検出装置が３分以内に検出した抵抗値の数が４５０個（その中に検出装置と衣類との接触回数及び検出装置と空気との接触回数を含む）であるとし、抵抗閾値を超えた抵抗値の数と乾燥ドラムの衣類容量との対応関係は、以下のとおりである。つまり、抵抗閾値を超えた抵抗値の数が３８０個であると、コントローラーは、乾燥ドラムの衣類容量を大容量と定義し、乾燥ドラムの回転速度を６０〜６５ｒｐｍに調整し、抵抗閾値を超えた抵抗値の数が２８０個であると、コントローラーは、乾燥ドラムの衣類容量を中容量と定義し、乾燥ドラムの回転速度を４０〜４５ｒｐｍに調整し、抵抗閾値を超えた抵抗値の数が１８０個であると、コントローラは、乾燥ドラムの衣類容量を小容量と定義し、抵抗閾値を超えた抵抗値の数が３００個であると、コントローラーは、乾燥ドラムの衣類容量を中容量と定義し、乾燥ドラムの回転速度を５０〜５５ｒｐｍに調整する。
【００４６】
本実施例における制御方法において、乾燥ドラムの容量が小容量であると判定される場合、乾燥ドラムを低回転速度で動作させるのは、乾燥ドラムの回転速度が高すぎることで、衣類が乾燥ドラムの内壁にくっつき、衣類と乾燥空気との接触が不均一になることを防止するとともに、乾燥ドラムの回転速度が高すぎることで衣類が円周方向において押圧され、シワを伸ばせないという問題を防止するためである。乾燥ドラムにおける衣類の量が大容量である場合、乾燥ドラムを高回転速度で動作させるのは、角速度を増大させることによって遠心力を大きくすることにより、衣類を遠心力の作用下で乾燥ドラム内で伸びさせ、シワの大面積発生を防止するとともに、乾燥の均一性を向上させるためである。乾燥ドラムの衣類容量が中容量である場合、乾燥ドラムを中回転速度で動作させるのは、乾燥ドラムを適切な角速度のまま動作させることによって、衣類が適切な遠心力を受けてドラム内で伸びることができ、衣類が速すぎる回転速度により内壁にくっつくことを防止するばかりでなく、乾燥ドラムの回転速度が低すぎることで、衣類が十分な遠心力を受けられず、伸びられなくなり、ボールのようにドラム内で回転して多くのシワ付きが生じると問題を防止することができるためである。
【００４７】
本実施例に係る制御方法を用いて、コントローラーは、乾燥ドラムにおける衣類の量に基づいて乾燥ドラムの回転速度を調節することができ、乾燥ドラムにおける衣類が比較的多いと、乾燥ドラムの回転速度が向上し、乾燥ドラムにおける衣類が比較的少ないと、乾燥ドラムの回転速度が低下する。これにより、よい衣類乾燥効果を実現し、衣類乾燥機により乾燥された衣類のシワ付き問題を解決できる。
【００４８】
実施例３
本発明に係る実施例において、記憶媒体が更に提供されている。好ましくは、本実施例において、上記した記憶媒体は、下記ステップを実行するためのプログラム・コードを記憶するように設置されている。
【００４９】
乾燥ドラム（１）が初期回転速度で動作した後、検出装置（３）は、検出装置の周囲環境の抵抗値を検出し、コントローラーは、所定時間内に予め設定された時間ごとに抵抗値を取得する。
【００５０】
前記コントローラーは、各抵抗値をそれぞれ抵抗閾値と比較するとともに、前記抵抗閾値を超えた抵抗値の数に基づいて前記乾燥ドラム（１）における衣類の量を判断する。
【００５１】
前記コントローラーは、前記乾燥ドラム（１）における衣類の量に基づいて前記乾燥ドラム（１）の回転速度を調整する。
【００５２】
好ましくは、本実施例において、上記した記憶媒体は、ＵＳＢフラッシュメモリ、読み取り専用メモリー（ＲＯＭ、Ｒｅａｄ−Ｏｎｌｙ  Ｍｅｍｏｒｙ）、ランダムアクセスメモリー（ＲＡＭ、Ｒａｎｄｏｍ  Ａｃｃｅｓｓ  Ｍｅｍｏｒｙ）、モバイルハードディスク、磁気｛じき｝ディスク、コンパクトディスクなどのプログラム・コードを記憶できる不揮発性記憶媒体を含むが、これらに限定されない。
【００５３】
好ましくは、本実施例における例示は、上記した実施例及び好適な実施形態に述べられた例示を参照することができるため、ここでは繰り返しの説明を省略する。
【００５４】
当業者は、上記したモジュール又はステップは、汎用計算装置で実現でき、単一の計算装置に集中してもよく、複数の計算装置からなるネットワークに分布してもよく、好ましくは、計算装置で実行可能なプログラム・コードにより実現できるため、これらを記憶装置に記憶して計算装置により実行することができ、且つある状況下で、ここの記載と異なる順番で上記に示された又は描かれたステップを実行し、或いはこれらをそれぞれ集積回路モジュールに作成し、或いはこれらの中の複数のモジュール又はステップを単一の集積回路モジュールに作成することによって実現することができる、ことを理解すべきであることは明白である。上記説明は本発明の実施例に過ぎず、本発明を限定するものではない。
【００５５】
実施例４
図３は本発明の実施例に係る機器のハードウェア構造の概略図であり、図３に示すように、当該機器は、
【００５６】
一つ又は複数のプロセッサー４１０と、
【００５７】
メモリー４２０と、を含み、図３の中では一つのプロセッサー４１０を例とし、
【００５８】
前記機器は、入力装置４３０と出力装置４４０とを更に含んでもよい。
【００５９】
前記機器におけるプロセッサー４１０、メモリー４２０、入力装置４３０と出力装置４４０は、バスや他の方法で接続されてもよく、図３の中ではバスで接続されることを例とする。
【００６０】
メモリー４２０はコンピューターにより読み取り可能な記憶媒体として、ソフトウェアプログラム、コンピューターにより実行可能プログラム及びモジュールを記憶するために用いられる。プロセッサー４１０はメモリー４２０に記憶されたソフトウェアプログラム、指令及びモジュールを実行することによって、サーバーにおける各種の機能アプリケーション及びデータ処理を実行し、即ち上記した方法実施例に係る衣類乾燥機の制御方法を実現する。
【００６１】
メモリー４２０はプログラム記憶エリアとデータ記憶エリアとを含んでもよく、そのうち、プログラム記憶エリアには操作システム、少なくとも一つの機能が所要するアプリケーションプログラムを記憶することができ、データ記憶エリアには端末機器の使用に基づいて作り出されたデータなどを記憶することができる。また、メモリー４２０は高速ランダムアクセスメモリーを含んでもよく、例えば少なくとも磁気ディスク、フラッシュメモリー、他の不揮発性ソリッドステートメモリーのような不揮発性メモリーを更に含んでもよい。ある実施例において、メモリー４２０として、好ましくは、プロセッサー４１０に対して遠隔設置されたメモリーを含んでもよく、これらの遠隔メモリーはネットワークによって端末機器に接続可能である。上記したネットワークの実例はインターネット、企業内インターネット、ローカルエリア・ネットワーク、モバイル通信インターネット及びこれらの組み合わせを含むが、これらに限定されない。
【００６２】
入力装置４３０は入力されたデジタルや文字情報を受信し、及び端末のユーザ設置及び機能制御に関するキー信号入力を生成するために用いられる。出力装置４４０はディスプレーなどの表示機器を含んでもよい。
【００６３】
前記一つ又は複数のモジュールは前記メモリー４２０に記憶され、前記一つ又は複数のプロセッサー４１０により実行される際に、
【００６４】
乾燥ドラム（１）が初期回転速度で動作した後、検出装置が検出装置の周囲環境の抵抗値を検出し、コントローラーが所定時間内に予め設定された時間ごとに抵抗値を取得することと、
【００６５】
前記コントローラーは各前記抵抗値をそれぞれ抵抗閾値と比較するとともに、前記抵抗閾値を超えた抵抗値の数に基づいて前記乾燥ドラム（１）における衣類の量を判断することと、
【００６６】
前記コントローラーは前記乾燥ドラム（１）における衣類の量に基づいて前記乾燥ドラム（１）の回転速度を調整すること、を実行する。
【符号の説明】
【００６７】
１、  乾燥ドラム
２、  湿度センサー
３、  検出装置
【図１】
2018510031.tif 000003
【図２】
2018510031.tif 000004
【図３】
2018510031.tif 000005
【国際調査報告】
2018510031.tif 000006
2018510031.tif 000007
2018510031.tif 000008
2018510031.tif 000009